(57)【要約】    【課題】      【解決手段】居室と廊下の間に設けられかつドアにより開閉されるドア開口部の周囲に配設されたドア枠に、居室側と廊下側とを連絡する通気部が設けられた通気構造であって、前記通気部は、ドア枠のドア正面視において死角となる内周面かつ居室側に設けられた第１の通気口と、ドア枠のドア正面視において死角となる内周面かつ廊下側に設けられた第２の通気口と、前記第１、第２の通気口を継ぎかつドア枠の内部に形成された通気路とを含み、前記ドア枠は、ドアを回動可能に蝶着する吊り元縦枠と、閉止位置のドアの回動端部に向合い戸当りを具える戸当り側縦枠とを含んで構成され、前記通気部は、戸当り側縦枠に形成されたことを特徴とする。【選択図】  図３
2005226257.tif 000002
【特許請求の範囲】
【請求項１】
居室と廊下の間に設けられかつドアにより開閉されるドア開口部の周囲に配設されたドア枠に、居室側と廊下側とを連絡する通気部が設けられた通気構造であって、
前記通気部は、ドア枠のドア正面視において死角となる内周面かつ居室側に設けられた第１の通気口と、
ドア枠のドア正面視において死角となる内周面かつ廊下側に設けられた第２の通気口と、
前記第１、第２の通気口を継ぎかつドア枠の内部に形成された通気路とを含むことを特徴とする通気構造。
【請求項２】
前記ドア枠は、ドアを回動可能に蝶着する吊り元縦枠と、閉止位置におけるドアの回動側の側端部に向合い戸当りを具える戸当り側縦枠とを含んで構成され、  前記通気部は、戸当り側縦枠に形成されたことを特徴とする請求項１記載の通気構造。
【請求項３】
前記ドア枠は、ドアを回動可能に蝶着する吊り元縦枠と、閉止位置におけるドアの回動側の側端部に向合い戸当りを具える戸当り側縦枠と、前記双方の縦枠の上端部間に設けられた上枠とを含んで構成され、
前記通気部は、上枠に形成されたことを特徴とする請求項１又は２記載の通気構造。
【請求項４】
前記通気部は、フィルター又は防音材を具えることを特徴とする請求項１〜３のいずれかに記載の通気構造。
【発明の詳細な説明】
【技術分野】
【０００１】
本発明は、居室と廊下の間に設けられかつドアにより開閉されるドア開口部の周囲に配設されたドア枠に、居室側と廊下側とを連絡する通気部が設けられた通気構造に関する。
【背景技術】
【０００２】
家屋の高気密化に伴い、ホルムアルデヒド、ＶＯＣ（揮発性有機化合物）などを原因とするシックハウス症候群を防止するためには、一定水準以上の換気量確保が必要であり、近年居室のある建物に対しては高い換気基準が要求され、住居環境の維持向上が図られている。またこれらの換気基準においては、住居全体が単一の空間としてとらえられている。例えば居室の空気を居室から廊下を経てトイレの機械換気装置からまとめて換気をおこなう場合、居室と廊下の間に設けられ、建具により開閉可能に構成された開口部において一定量以上の通気を確保することが必要である。
【０００３】
そして引き戸、折れ戸などその構造自体で比較的隙間の多い建具を用いた場合は、通気量が一定以上得られるため、そのままで換気経路として認められている。他方ドアを用いた場合は気密性に優れるため、ドア本体、或いはドア開口部周辺の間仕切壁に換気ガラリを設けたり、高さ１ｃｍ程度のアンダーカット形成することにより、必要な通気量を確保する必要がある。しかしながら、これら換気ガラリ、アンダーカットは、内装仕上げが重要視される居室の出入口における外観において、違和感を与えるため見栄えを損ねるという問題があった。
【０００４】
そこでこの種課題を解決するため、図６に示すように、ドアａを取り付けるドア開口部ｂの内側面に空気が流通しうる空気通路ｄを形成したドア枠ｃを取付け、かつ前記ドア枠ｃと壁ｅとの間に、該壁ｅの表面ｆから突出する略Ｌ字状の化粧縁ｇを設けることにより、双方の化粧縁ｇ、ｇに設けられドア開口部ｂの外側に向って開いた双方の通気口ｈ、ｈが前記ドア枠ｃの空気通路ｄを介して連絡された通気構造が提案されている（例えば、特許文献１参照）。
【０００５】
そして該通気構造においては、一方の化粧縁ｇの通気口ｈから流入した空気が、ドア枠ｃの空気通路ｄを介して他方の化粧縁ｇの開口ｈに空気が流れるため、ドアａを閉めた際にもドア開口部ｂの両側の空間の相互間で通気を確保することができる。
【０００６】
【特許文献１】特許出願公表平４−５０１５８９号公報
【発明の開示】
【発明が解決しようとする課題】
【０００７】
しかしながら、前記従来の通気構造においては、通気口ｈを具えた化粧縁ｇが壁ｅの表面ｆから突出して取り付けられるため、内装仕上が重要視されるドアａを具え壁開口における外観に違和感を与え、美観を損なうものであった。さらには、前記空気通路ｄを通過して通気口ｈから流れ出る空気が壁ｅの表面ｆに沿って流動するため、該壁ｅの表面ｆに空気中の塵埃が付着して汚れが目立つという問題があり、特に白色、アイボリー色など淡色の壁表面材を用いて仕上られた壁ｅの表面ｆにおいては、比較的短期間で汚れが目立つようになり、著しく外観を損ねる恐れがあった。
【０００８】
さらには、ドアａの開閉動作に伴い、特に戸当りにドアａが当る時に生じる衝撃に基づき、前記化粧縁ｇの固定が外れやすく、しかもドア枠ｃ、壁ｅの表面ｆに対する取り付け状態が不安定になると、ドアａの開閉時に化粧縁ｇがガタツキ音を発し易いという問題もあった。
【０００９】
本発明は、前記した通気構造が有する問題点を解消し、通気部はドア枠のドア正面視において死角となる内周面かつ居室側に設けられた第１の通気口と、ドア枠のドア正面視において死角となる内周面かつ廊下側に設けられた第２の通気口と、前記第１、第２の通気口を継ぎかつドア枠の内部に形成された通気路とを含むことを基本とし、見栄えに優れるとともに周囲の壁面を汚すことのない通気構造の提供を課題としている。
【課題を解決するための手段】
【００１０】
前記目的を達成するために、請求項１記載の発明は、居室と廊下の間に設けられかつドアにより開閉されるドア開口部の周囲に配設されたドア枠に、居室側と廊下側とを連絡する通気部が設けられた通気構造であって、前記通気部は、ドア枠のドア正面視において死角となる内周面かつ居室側に設けられた第１の通気口と、ドア枠のドア正面視において死角となる内周面かつ廊下側に設けられた第２の通気口と、前記第１、第２の通気口を継ぎかつドア枠の内部に形成された通気路とを含むことを特徴とする。
【００１１】
また請求項２記載の発明は、前記ドア枠は、ドアを回動可能に蝶着する吊り元縦枠と、閉止位置におけるドアの回動側の側端部に向合い戸当りを具える戸当り側縦枠とを含んで構成され、前記通気部は、戸当り側縦枠に形成されたことを特徴とする請求項１記載の通気構造である。
【００１２】
また請求項３記載の発明は、前記ドア枠は、ドアを回動可能に蝶着する吊り元縦枠と、閉止位置におけるドアの回動側の側端部に向合い戸当りを具える戸当り側縦枠と、前記双方の縦枠の上端部間に設けられた上枠とを含んで構成され、前記通気部は、上枠に形成されたことを特徴とする請求項１又は２記載の通気構造である。
【００１３】
また請求項４記載の発明は、前記通気部は、フィルター又は防音材を具えることを特徴とする請求項１〜３のいずれかに記載の通気構造である。
【発明の効果】
【００１４】
本発明は叙上の如く、ドア枠のドア正面視において死角となる内周面かつ居室側に設けられた第１の通気口と、ドア枠のドア正面視において死角となる内周面かつ廊下側に設けられた第２の通気口と、前記第１、第２の通気口を継ぎかつドア枠の内部に形成された通気路とを含んで通気部を構成するため、ドア枠は壁の厚さ方向に対する寸法が大きく形成されることがなく、全体的に均衡のとれた意匠を構成しうるため、外観が重要視される居室の出入口での意匠性に優れ、見栄えを高めることができる。しかも第１、第２の通気口は、ドア枠のドア正面視において死角となる内周面に形成されるため、通気口が目立つことがなく外観を損なうことがない。
【００１５】
さらに、前記第１、第２の通気口は、ドア枠の内周面に形成されるため、該通気口から出入する空気の塵埃が周囲の壁面に付着して該壁面を汚すことがなく、居室の出入口周囲の外観を長期間維持することができる。また、化粧縁を含まないため、ドアの開閉で化粧縁が外れたり、ガタツキ音を出すなどのトラブルを生じることもない。
【発明を実施するための最良の形態】
【００１６】
以下、本発明の実施の一形態を、図示例とともに説明する。図１は本形態の通気構造１の正面図、図２はそのＡ−Ａ断面図、図３はその要部拡大断面斜視図である。本形態の通気構造１は、ドア開口部５の周囲に設けられたドア枠６に居室２側と廊下３側とを連絡する通気部７が設けられた通気構造であって、通気部７は、第１の通気口８と、第２の通気口９と、通気路１０とを含み構成されている。
【００１７】
前記ドア開口部５は、居室２と廊下３の間に形成された間仕切壁２１に設けられ、ドア４により開閉される。該間仕切壁２１は、図示されない梁と土台とに上下端部を固定されて隔設された間柱２１ａの両側に壁下地板２１ｂが添設されることにより形成され、中空構造に構成される。なお前記壁下地板２１ｂは、石膏ボード、合板、ケイ酸カルシウム板などが用いられる。
【００１８】
前記壁下地板２１ｂは、その表面に、化粧紙を合板に接着しかつ不飽和ポリエステル樹脂を塗布したポリエステル化粧合板などの化粧合板、ポリエチレン、ポリプロピレン、エチレン酢ビ樹脂（ＥＶＡ）などのオレフィン系樹脂化粧シート、布クロスなどを添着して仕上られる。このほか糊や顔料などを混合した土、漆喰、プラスター、珪藻土などの左官壁材料を塗り重ねて仕上層を形成することもできる。
【００１９】
また前記間仕切壁２１は、木材、軽量鉄骨材を用いた縦、横の枠材を矩形状に枠組みして形成された外周枠の内側に補強桟を架け渡して壁パネル枠体を形成し、この壁パネル枠体の両側に、前記と同様の壁下地板２１ｂを添着したフラッシュ構造の間仕切壁パネルを予め工場生産し、該パネルを建築構造の梁と土台間に固定して構成することもできる。
【００２０】
前記ドア開口部５は、居室２と廊下３の間を出入可能とするため、前記間仕切壁２１の一部を切欠して構成され、幅が約９０〜１５０ｃｍ程度、高さが約１８０〜２７０ｃｍ程度に形成され、その上端は天井高さと同高さに形成されることもある。
【００２１】
前記ドア４は、本形態では、縦フレーム材、横フレーム材を矩形状に枠組みした外周枠の内側に補強桟を架け渡し形成された木製のドアフレームの両側に、化粧板を添着したフラッシュパネルで形成することができる。そしてこの化粧板としては合板など基板上に、ナラ、サクラ、チーク、ケヤキなどを０．２〜０．６ｍｍ程度にスライスした突き板、又はポリエチレン、ポリプロピレン、エチレン酢ビ樹脂（ＥＶＡ）などオレフィン系樹脂、メラミン樹脂、ポリエステル樹脂などを用いた化粧シートを添着したものが用いられる。また前記フラッシュパネルのほか無垢木材、修正木材を枠状に加工し組立てた框組みの構造とすることもよい。更には、鋼板を折り曲げて形成し、又はプラスチック、アルミニウムの押出し成形材を組立てて形成することもできる。
【００２２】
また本形態のドア４は、図１、２に示すように、その中央に上端から下端にわたり、例えば３〜７ｃｍ程度の均一な幅の化粧溝部２２が形成される。そしてその化粧溝部２２の中間部には、ガラス、半透明プラスチック等の透光板２３が嵌め込まれ、反対側の光が透過することができるため、装飾性が高まるとともに、反対側の人影を察知できる点で好ましい。
【００２３】
前記ドア４の一側部には、居室側のレバーハンドル２４ａと廊下側のレバーハンドル２４ｂを有するシリンダケ−スロック錠２４が内蔵されている。
【００２４】
前記ドア枠６は、前記ドア開口部５の周囲に配設され、本形態では、一対の縦枠１１、１２と該縦枠１１、１２の上端部間に設けられた上枠１３とを含み構成されたものを例示している。そして前記一対の縦枠１１、１２は、前記ドア４を取付ける吊り元縦枠１１と、戸当り１６を具える戸当り側縦枠１２とからなる。  
【００２５】
前記吊り元縦枠１１は、図２に示すように、横断面矩形の棒状に形成され、ドア開口部５に臨む前記間仕切壁２１の縁部に配置され、該間仕切壁２１の間柱２１ａに接着、釘、ビスなどで固着される。該吊り元縦枠１１は、その上下２箇所で蝶番金具２５により前記ドア４を回動可能に蝶着している。そして本形態のドア４は、蝶番金具２５を中心として廊下３側に向けて回動でき、所謂外開き状態で支持される。
【００２６】
前記戸当り側縦枠１２は、本形態では図２、３に示すように、居室２側と廊下３側に配された一対の側片部２６、２６と該側片部２６、２６を継ぐ基片部２９とを含む横断面コ字状の外枠１２Ａと、横断面略矩形の内枠１２Ｂとを含み構成されたものを例示している。前記外枠１２Ａは、ドア開口部５に臨む前記間仕切壁２１の縁部に配置され、該間仕切壁２１の間柱２１ａに接着、釘、ビスなどで固着されている。そして、前記外枠１２Ａは、その側片部２６、２６の向き合う内面に、その先端部から奥に向う溝状の凹部２７が上下に亘り、例えば２０〜５０ｃｍ程度の一定間隔で隔設されている。
【００２７】
前記内枠１２Ｂは、その居室２側及び廊下３側に立方体状の凸部２８が、前記外枠１２Ａの凹部２７と同じ間隔で設けられている。そして図４に示すように、内枠１２Ｂの居室２側及び廊下３側の双方の凸部２８、２８が外枠１２Ａの凹部２７、２７に嵌合することにより内枠１２Ｂと外枠１２Ａとが固着され、これにより戸当り側縦枠１２が構成される。内枠１２Ｂの凸部２８と外枠１２Ａの凹部２７とは、前記嵌合部を接着剤を用いて一体化することもでき、またビス、螺子などの固着を用いて双方を着脱可能に固着するとメンテナンス作業を容易とする点で好ましい。
【００２８】
また内枠１２Ｂの居室２側及び廊下３側には、前記立方体状の凸部２８を介して外枠１２Ａの側片部２６との間に幅Ｗ１の間隙が形成され、この間隙により閉止状態のドア４の表面方向と平行な方向に空気が流通しうる出入通気路１０Ａ、１０Ａが形成される。そして、外枠１２Ａの基片部２９と内枠１２Ｂとの間に前記間仕切壁２１の厚さ方向に向けて空気が流通しうる連絡通気路１０Ｂが形成される。本形態では、内枠１２Ｂの凸部２８の外枠１２Ａの基片部２９に向合う端面２８ａが外枠１２Ａの凹部２７の基片部２９側の端面に当接するため、内枠１２Ｂのそれ以上の移動が阻止され、所定寸法の幅Ｗ２の連絡通気路１０Ｂが構成される。
【００２９】
出入通気路１０Ａ、１０Ａは、各々その奥で前記連絡通気路１０Ｂに連続し、双方の出入通気路１０Ａ、１０Ａと連絡通気路１０Ｂとで通気路１０を構成している。そして、通気路１０の居室２側の出入通気路１０Ａの居室２に向って開いた開口端部により第１の通気口８が形成され、他方廊下３側の出入通気路１０Ａの廊下３に向って開いた開口端部により第２の通気口９が形成されている。
【００３０】
このように、本形態の通気構造１は、第１の通気口８と、第２の通気口９とこの第１、第２の通気口を継ぐ通気路１０とにより通気部７が構成されている。そして該通気部７を介してドア開口部５の両側の居室２側と廊下３側とが連絡され、基準をクリアする通気量が確保されている。
【００３１】
また前記第１の通気口８は、閉止状態のドア４を正面から眺めるとき、ドア枠６の内周面の居室２側に形成されるため、第１の通気口８は死角となって目視されない。その結果、外観が重要視される居室２のドア開口部５において、美観が維持できて見栄えが良い。また第２の通気口９も同様に、ドア４の正面視において死角となって目視されないため廊下３側においても、優れた意匠性を維持できる。
【００３２】
しかも、第１の通気口８、第２の通気口９は共にドア枠６の内周面に形成されるとともに通気路１０を含めた通気部７は全てドア枠６の内部に形成されるため、ドア枠６に前記従来例のように化粧縁ｇを取付ることがなく、間仕切壁２１から大きく突出することなく構成される。その結果、外観意匠が重要なドア開口部５において美観を何ら損なうことなく、高い装飾性を得ることができる。
【００３３】
従来例のような化粧縁ｇを取付けることがないため、ドア４の開閉による衝撃力によって、化粧枠ｇの固着が外れ、或いは化粧枠ｇの取付が緩んで、ドア４の開閉、廊下３での歩行などに基因して振動音を発するトラブルを招くこともない。
【００３４】
また、第１の通気口８、第２の通気口９は共にドア枠６の内周面に形成されるため、居室２と廊下３との間を流れる空気中に浮遊する塵埃がドア開口部５周囲の間仕切壁２１の表面に付着する恐れがない。従って間仕切壁２１が例えホワイト、アイボリなどの淡色に仕上げられていても、前記従来のように、その仕上面を汚すことがない。その結果、居室内で暖房、調理などにより汚染された空気が前記通気部７を流通しても、間仕切壁２１の仕上状態は良好なままを維持でき、外観意匠性に優れるとともに、壁面仕上のメンテナンスが容易となる。
【００３５】
前記出入通気路１０Ａの幅Ｗ１と連絡通気路１０Ｂの幅Ｗ２とは、同じ寸法（例えば１〜３ｃｍ程度）に形成されると、通気路１０全体の空気通気抵抗が均等化するため、安定した通気量が確保しうる点で好ましい。
【００３６】
なお、前記上枠１３から床面にまでのびる戸当り側縦枠１２の中で、前記ドア４に内蔵されたシリンダケ−スロック錠２４に向合う高さ位置に、施錠を行うため該シリンダケ−スロック錠２４のラッチボルト、デッドボルトが挿入される図示されないストライクが埋設される。そして戸当り側縦枠１２は、前記ストライクを設ける箇所には、前記通気部７を形成しない構造とすることが施錠操作の信頼性を維持する点で好ましい。
【００３７】
前記内枠１２Ｂの内側面の居室２縁部に段部１６Ａが設けられ、該段部１６Ａが戸当り１６を構成している。該戸当り１６が閉止位置におけるドア４の端部に当接し、ドア４の位置決めを行うとともに、ドア４とドア開口部５との間の隙間を遮断し、隙間風、明かりの洩れを防止している。
【００３８】
図１、５に示すように、ドア枠６は、前記吊り元縦枠１１と、戸当り側縦枠１２と、双方の縦枠１１、１２の上端部間に設けられた上枠１３とで構成し、該上枠１３に通気路１０と、第１の通気口８と、第２の通気口９とを含み構成される通気部７を形成することもできる。そして通気路１０の居室２に向って開いた開口端部により形成される第１の通気口８、および廊下３側に向って開いた開口端部により形成される第２の通気口９は、ともにドア４の正面視において死角となるドア枠６の内周面に形成されるため、外観を損なうことなく、見栄えに優れる。
【００３９】
本形態の通気構造１は、図５に示すように、戸当り側縦枠１２及び上枠１３の双方に連続して通気部７を形成しているが、基準通気量が得られる場合戸当り側縦枠１２、上枠１３の何れか一方にのみ通気部７を設けることでもよい。
【００４０】
前記吊り元縦枠１１、戸当り側縦枠１２および上枠１３はラワン、チーク、杉、松、栂などの無垢木材、これらの集成材、繊維方向を揃えて積層一体化したＬＶＬ（構造用単板積層材）を用いて形成される。また、おが屑、廃材などの廃棄木材を原料とした木粉とポリエチレン樹脂などポリオレフィン系樹脂とを混合して押し出し成形した人工木材で形成することもでき、ＭＤＦ（中密度繊維板）、パーティクルボードなどのエンジニアリングウッドを棒状の切断して用いることもできる。さらには、薄鋼板のロール成形品、アルミニウムの押出成形品を用いることもよい。
【００４１】
本形態の通気構造１は、図３、４に示すように、通気路１０の中間部にフィルター１４を設けている。本形態のフィルター１４は、板状に成形されたガラス繊維エアフィルターを用い、中枠１２Ｂの外枠１２Ａ側に添着することにより通気路１０中に配設している。フィルター１４は、このほかポリオレフィンエアフィルター、活性炭フィルター、アルミエアフィルター、マイクログラスエアフィルターなどを用いることもできる。
【００４２】
図５に示すように、通気路１０の中間部に防音材１５を設けると、居室２の音の廊下３側への漏洩防止しうる点で好ましい。そして本形態の防音材１５は、アルミニウム不織布を用いている。図５に示すように、通気路１０に防音材１５とフィルター１４の双方を設けることもよい。
【図面の簡単な説明】
【００４３】
【図１】本発明の一実施の形態を例示する正面図である。
【図２】そのＡ−Ａ断面図である。
【図３】その要部拡大断面斜視図である。
【図４】その一部分解斜視図である。
【図５】その異なる部分の要部拡大断面斜視図である。
【図６】従来例の要部拡大断面図である。
【符号の説明】
【００４４】
１      通気構造
２      居室
３      廊下
４      ドア
５      ドア開口部
６      ドア枠
７      通気部
８      第１の通気口
９      第２の通気口
１０      通気路
１１      吊り元縦枠
１２      戸当り側縦枠
１３      上枠
１４      フィルター
１５      防音材
１６      戸当り
【図１】
2005226257.tif 000003
【図２】
2005226257.tif 000004
【図３】
2005226257.tif 000005
【図４】
2005226257.tif 000006
【図５】
2005226257.tif 000007
【図６】
2005226257.tif 000008